(57)【要約】【課題】本発明は、釣り餌保護用沈降剤を提供するためのものである。【解決手段】 本発明の釣り餌保護用沈降剤は、ベントナイト、砂、黄土、及び押し麦から選択された、少なくとも２つ以上の混合物で組成されることによって、釣り支度時、雑魚から釣り餌を保護し、併せて、目的とする水深層まで釣り餌を下降させると共に、集魚効果を発揮することによって、対象魚を攻略するに有用な効果がある。【選択図】図２
2008113658.tif 000002
【特許請求の範囲】
【請求項１】
ベントナイト、砂、黄土、及び押し麦から選択された少なくとも２つ以上の混合物から組成されることを特徴とする釣り餌保護及び集魚用沈降体。
【請求項２】
体積％で、ベントナイト２０〜４０％、砂５５〜７５％、及び押し麦５％で組成されることを特徴とする請求項１記載の釣り餌保護及び集魚用沈降体。
【請求項３】
体積％で、ベントナイト２０〜４０％、砂２０〜４０％、黄土２０〜４０％、及び押し麦５％で組成されることを特徴とする請求項１記載の釣り餌保護及び集魚用沈降体。
【請求項４】
体積％で、ベントナイト３０〜５０％、黄土４５〜６５％、及び押し麦５％で組成されることを特徴とする請求項１記載の釣り餌保護及び集魚用沈降体。
【請求項５】
体積％で、ベントナイト７０〜９０％、砂５〜２５％、及び押し麦５％で組成されることを特徴とする請求項１記載の釣り餌保護及び集魚用沈降体。
【請求項６】
体積％で、黄土７０〜９０％、砂５〜２５％、及び押し麦５％で組成されることを特徴とする請求項１記載の釣り餌保護及び集魚用沈降体。
【発明の詳細な説明】
【技術分野】
【０００１】
本発明は、釣り餌保護用沈降体に関し、より詳しくは、クロダイ、メジナ、マダイ、イシダイ、スズキなどを対象魚にする海釣り用穴浮き、棒浮きなどを利用した浮かし釣り、または船上浮き釣りにおいて、穴浮き、棒浮き支度を水面上に投げた後、餌が目的とする水深層まで下ろす途中、水深上層部に存在する一般雑魚により餌が損失されないようにし、また沈降弾構成物質が集魚剤の役割を同時に遂行する釣り餌保護用沈降体に関する。
【背景技術】
【０００２】
対象魚を釣るための釣り支度を海に投げる場合、その釣り餌が対象魚が存在する所定の水深層に到達する前に水深層の上部に存在する多数の雑魚によりその餌が損失され、これによって、良い釣果が得られないことが一般的であるだけでなく、潮流の状況によって餌とこませを同調させることが困難な場合が多い。図１は、海釣り用穴浮きの釣り支度の概略図であって、支度を投げた後、上層雑魚により餌が損失されて対象魚が存在する希望する水深層深さには餌が存在しないことを図式的に表している。一方、図１において、図面符号１は水深調節用浮き止め、２は穴浮きまたは棒浮き、３は水中浮きまたは水中重り、４は回転環、５は小重り、そして６は釣り針を示す。
【０００３】
したがって、このような点を勘案して、釣り針に突き刺された餌を保護するために、通常、水中浮き及び水中重りの重さを増加させて餌の沈降速度を速くする方法を利用したり、またはこませを投げる際、対象魚の当たりを受けることができる場所と異なる地点にこませを投与して、雑魚を他のところへ誘引する等の方法が一般的に使われている。しかしながら、このような方法は広範囲に分布している雑魚群れにはどうしようもない場合が多いので、餌をカニなどの甲殻類に変えて使用することもあるが、この方法も良い釣果を上げるには十分でないことが現状である。
【０００４】
また、上記の技術上の問題点を解決するための方法の一例として、大韓民国公開特許第２００１−００８３８３１号に記載された発明と大韓民国登録実用新案第２０−０２７１０５６号に記載された考案を挙げることができる。具体的に、上記公開特許には脱着式ハニー針を用いて雑魚の当たりにも餌が落ちないようにする発明を提示しており、上記登録考案では、水中浮きの役割をすると共に、釣り針に突き刺された餌を保護する考案を提示している。
【０００５】
しかしながら、脱着式ハニー針の場合には、針を３個使用することになる短所があり、また水中浮きの中に餌を隠して沈降させる技術は、水中浮きの下部にある開閉門が水圧により自動で作動されなければならない困難性が存在する。
【０００６】
したがって、上記２つの方法は、釣り針に突き刺された餌を効果的に目的とする水深層まで降ろすことが多少困難であるという問題点がある。
【０００７】
【特許文献１】大韓民国公開特許第２００１−００８３８３１号
【特許文献２】大韓民国登録実用新案第２０−０２７１０５６号
【発明の開示】
【発明が解決しようとする課題】
【０００８】
したがって、本発明の目的は、前述した従来技術の問題点を解決するために案出したものであって、釣り針に突き刺された餌（クリルエビ、剥いたエビ、砂蚕等）を雑魚の攻撃から保護すると共に、その自体の重さ（自重）により対象魚が存在する希望する水深層まで釣り餌を到達するようにする釣り餌保護用沈降弾を提供することにある。
【０００９】
本発明の他の目的は、魚を集める集魚剤の役割を同時に遂行できるようにした釣り餌保護用沈降弾を提供することにある。 
【課題を解決するための手段】
【００１０】
上記の目的を達成するための本発明に従う釣り餌保護用沈降体は、ベントナイト、砂、黄土、及び押し麦から選択された少なくとも２つ以上の混合物から組成されることを特徴とする。
【００１１】
好ましくは、本発明に従う釣り餌保護用沈降体は、体積％で、ベントナイト２０〜４０％、砂５５〜７５％、及び押し麦５％で組成されることを特徴とする。
【００１２】
好ましくは、本発明に従う釣り餌保護用沈降体は、体積％で、ベントナイト２０〜４０％、砂２０〜４０％、黄土２０〜４０％、及び押し麦５％で組成されることを特徴とする。
【００１３】
好ましくは、本発明に従う釣り餌保護用沈降体は、体積％で、ベントナイト３０〜５０％、黄土４５〜６５％、及び押し麦５％で組成されることを特徴とする。
【００１４】
好ましくは、本発明に従う釣り餌保護用沈降体は、体積％で、ベントナイト７０〜９０％、砂５〜２５％、及び押し麦５％で組成されることを特徴とする。
【００１５】
好ましくは、本発明に従う釣り餌保護用沈降体は、体積％で、黄土７０〜９０％、砂５〜２５％、及び押し麦５％で組成されることを特徴とする。
【発明の効果】
【００１６】
前述したように、本発明は、クロダイ、メジナ、マダイ、イシダイ、スズキなどを対象にする浮かし釣り、遠投投げ釣り、及び船上浮き釣りにおいて、雑魚（サヨリ、子イシダイ、タナゴ、ホラ、シラス、スズメダイ、アジ、キュウセン、サバ、子メジナ等）から釣り針に突き刺された餌を保護できる沈降体を提供することができる。また、沈降体は沈降体の構成物質内に含まれた天然鉱物質、天然ミネラル、押し麦等の集魚成分の分解により対象水深層の範囲内で集魚剤の役割を遂行することができる。特に、イシダイ、クロダイを対象魚にする遠投投げ釣り、脈釣りにおいて、沈降弾を集魚剤の用途として使用するに非常に効果的である。
【００１７】
そして、針に突き刺された餌と沈降体自体の集魚成分及び内部空間に充填された餌との同調が容易になされる効果がある。
【００１８】
本発明は、浮かべ釣り、遠投投げ釣り、及び船上浮き釣りにおいて、釣り餌を雑魚の攻撃から效果的に遮断することができ、また目的とする水深層まで餌を安全に下ろすことができるので、対象魚を有効に攻略することができ、集魚剤の役割を同時に遂行する長所がある。特に、強風や強い潮流で餌を迅速に下ろすことができるので、低浮力浮きの使用を自由にすることができ、沈降体の内部空間に生クリル、穀物類などを充填した状態で投げれば、沈降体の分解作用による集魚効果と共に、生クリル、穀物類等の集魚効果を極大化させることができる。 
【発明を実施するための最良の形態】
【００１９】
以下、本発明をより具体的に説明する。
【００２０】
本発明は、中空の所定の形状（球形、楕円形、円柱、または四角形、四角柱等）で成型された沈降体を用いて釣り針に突き刺された餌を保護するためのものであり、沈降体の構成物質内に含まれた集魚剤の分解により対象水深層の範囲内で集魚剤の役割を同時に遂行する。
【００２１】
海水面の上に釣り支度を投げた後、釣り針に突き刺された餌を雑魚の攻撃から保護しながら、目的とする水深層まで下ろすためには、第１に、餌を特定の形状物内に隠す方法、即ち偽装技術が必要であり、第２に、目的とする水深層まで餌を下ろした後、餌しか見えないように偽装された物質が餌から分離離脱されるようにする技術が必要である。そして、集魚剤の役割を同時に遂行するには、沈降体を構成する物質中に集魚剤の成分が含まれていなければならない。
【００２２】
本発明では、このような上記の要件を満たすために、釣り針に突き刺された餌を一定な形状の成型体内に保護すると共に、目的とする水深層では餌しか見えないように餌を保護した成型物が海水との作用により自体的に分離離脱されることで、最終的には、釣り針に突き刺された餌が見えるようにした。そして、沈降体が集魚剤の役割を同時に遂行できるように、沈降体を構成する物質中に集魚用物質を含めた。
【００２３】
本発明で餌を保護する成型体を沈降体と命名したが、沈降体とは、釣り針に突き刺された餌を収納または隠すことができる内部空間を備えた円形、楕円形、四角形、円柱、四角柱などの形状を有する成型物と定義されることができ、その具体的な形状に制限されず、雑魚から餌を保護することができる空間を持っている形状であればよい。沈降体の内部の余裕空間には針に突き刺された餌を隠すことができるだけでなく、余裕空間に生クリル、押し麦等、原形そのままの餌さ類を充填させることができるので、沈降体内に含まれた集魚成分の他にも原形そのままの餌で集魚の役割を遂行することができる。即ち、沈降弾の内部の空いた空間に餌及び集魚剤のみを充填させて、そのままに海に投げて使用しても集魚効果が得られる長所もある。
【００２４】
本発明の沈降体は、その自体の成型力として海に支度を投げた時、その形態が破壊されてはいけないし、また、沈降体が目的とする水深層に下ろす際、沈降弾を形成する構成物質が海水を吸収するにつれて成型力が順次に落ちて、沈降体自体が瓦解されるべき物理的特徴を持たなければならない。そして、沈降体が分解されながら、沈降体の内部空間または沈降体自体が持っている集魚剤成分の分解により集魚の役割を遂行しなければならない。
【００２５】
本発明者は、上記の事項に着目して研究と実験を重ねた結果、ベントナイトに、黄土、砂、押し麦などを混合して沈降体を製造する場合、前述した要件を満たすことを確認し、本発明を提示するものである。即ち、ベントナイトまたは黄土などが持つ固有の粘性及び、それから形成された成型体の海水による分解性を利用することで、希望する沈降体を製造できることを確認したし、また天然鉱物質であるベントナイト、黄土、砂等に含まれた天然ミネラル成分等により、嗅覚的及び視覚的な集魚の役割も同時に遂行できることを確認した。
【００２６】
本発明で定義するベントナイト（Bentonite）、黄土、砂、及び押し麦は、次の通り定義することができる。 
【００２７】
−ベントナイト（Bentonite）
ベントナイト（Bentonite）は、モンモリロナイト（Montmorillonite）を重量比で４０％以上含有したソジウム系ベントナイト（Sodium Bantonite）、またはカルシウム系ベントナイト（Calcium Bantonite）をいい、ベントナイトの化学式は（Ｎａ．Ｃａ）３（Ａｌ．Ｍｇ）２Ｓｉ４Ｏ１０（ＯＨ）２（Ｈ２Ｏ）である。ベントナイトは結晶構造を持つ微細な粒子であり、水分を吸着すると体積が大きくなる、膨潤性（３〜２５ｍｌ／２ｇ）の大きい物質である。ベントナイト（Bentonite）は、主成分であるモンモリロナイト（Montmorillonite）の他にも石英、長石、ゼオライト（zeolite）などを含有した粘土鉱物であり、化学式は（Ａｌ３．１５Ｍｇ０．８５）Ｓｉ８Ｏ２０（ＯＨ）４Ｘ０．８５・ｎＨ２Ｏである。
【００２８】
−黄土
０．０５〜０．００５ｍｍの微砂（silt）が１０％（重量％）以上、または構成物質の１０％以上が０．０７４ｍｍ以下の粒度を持つ堆積物をいい、レスともいう。そして、黄土は無機物形態の鉱物質であり、色別に、黄土、黒土、紅土、白土等に区分される。
【００２９】
−砂
砂構成物質の５０％重量以上が０．０７４ｍｍ以上の粒子であり、最大サイズ２．５ｍｍ以下の粒度を持つもの。砂は風化に対する抵抗性が強い石英屑を主にして、雲母・角閃石・輝石・磁鉄石・火山ガラス・有孔虫殻などが含まれている。
【００３０】
−押し麦
機械で押して平たくした麦を押し麦という。
【００３１】
以下、本発明の一実施形態に従う釣り餌保護用沈降体を説明する。
【００３２】
まず、本発明の沈降体はベントナイトを含む。
【００３３】
一般に、ベントナイト（Bentonite）は、水と接触すると本来の体積より５倍以上、自分の重さの３倍まで膨潤する独特の自体膨張性を示す物質である。乾燥状態のソジウム系ベントナイトは、多数の板状層が極少量の水分により分離されており、各板状層の隅部分が陽性、表面は陰性が存在する両極性を表し、ソジウムイオンは陰性である表面に付着されている状態で存在する。しかしながら、ソジウム系ベントナイトに水が添加されると、水分子が各層の表面に存在するソジウムイオンに吸着され、極性化した水分子群の需要増加により各層が電離、弛緩されながら膨脹することになる。逆に、水化されたベントナイトから水が蒸発すると、ベントナイトは本来の体積に収縮する回復性を示すことになる。このような膨潤及び収縮はベントナイト鉱物の化学的電気による現象である。カルシウム系ベントナイトもこのような膨潤特性があるが、ソジウム系ベントナイトよりは相対的に少ない。本発明において、ベントナイト（bentonite）とは、上記のソジウム系ベントナイト、カルシウム系ベントナイト両方とも指称する。
【００３４】
本発明は、上記のように、水化−膨脹される特性を用いた技術であって、次のような原理である。ベントナイトは、水化しながら膨脹する現象を示すが、その理由はベントナイトをなしている板状層の表面にあるソジウムイオンと水分子の吸着により板状層の間が弛緩するためである。しかしながら、水が蒸発することになると、弛緩した板状層が本来の状態に戻る収縮現象が発生することになる。この際、海水のような強酸性の海水が収縮したベントナイト混合物に染み込むと、収縮凝固したベントナイトの内部に存在する板状層が水分子を受け入れて弛緩されるのでなく、むしろ瓦解される性質を持つことになる。即ち、淡水（Ｈ２Ｏ）で成型されたベントナイト−黄土−砂の成型力は海水の吸収により成型力が急速に弱化できる点を本発明で利用したものである。
【００３５】
本発明において、上記ベントナイトの添加量は１〜９５体積％のものが好ましい。仮に、その添加量が１体積％未満の場合には、粘力が落ちて、目的とする沈降体形状に成型し難く、９５体積％を超過すると成型された沈降体が乾燥しながら、ひび割れの発生及びねじり現象が発生して、目的とする沈降体形状を維持できないためである。
【００３６】
また、本発明の沈降体は、上記のベントナイトの以外に粘結性を調節する物質として、黄土、砂、またはこれらの混合物を含む。この際、上記黄土、砂、またはこれらの混合物の添加量は１〜９５体積％範囲内のものが好ましい。
【００３７】
上記黄土は、鉄分、シリカ、アルミナ、マグネシウム、ナトリウム、石灰、カリなどの化学組成と、石英、長石、雲母、炭酸塩鉱物など、鉱物組成からなっており、水を加えると粘土に変わるので、粘力を持っている。即ち、黄土はベントナイトと共に粘結力があるので、砂を添加する際、その砂の非粘性物質を結合させる役割をする。
【００３８】
黄土の添加量は１０〜９５体積％程度のものが好ましい。黄土の含有量が９５％を超過すると、ベントナイトが少量添加されることで、海水による弛緩作用が少なくて、沈降体の分解に時間がたくさんかかる短所があるためである。
【００３９】
一方、上記砂は、沈降弾の分解性を制御するために添加される非粘結性物質であって、黄土とベントナイトの粘結性と沈降弾の重さを調節するために添加され、その添加量は１０〜８５体積％程度のものが好ましい。
【００４０】
そして、本発明の沈降体は、上記のベントナイト、砂、黄土の以外の残量として集魚の役割を増大させるために、押し麦を添加し、必要によって、その他の穀物類、エビ粉末、イカ粉末、魚粉などが共に添加されることができる。
【００４１】
一方、本発明の沈降体がベントナイト、砂、及び押し麦で組成される場合には、ベントナイト５〜８５％、砂１０〜８５％、及び残余押し麦で組成されることがより好ましい。
また、上記沈降体がベントナイト、砂、黄土、及び押し麦で組成される場合には、ベントナイト５〜７５体積％、砂１０〜４５体積％、黄土１０〜３５体積％、及び残余押し麦で組成されることがより好ましい。
【００４２】
そして、上記沈降体がベントナイト、黄土、及び押し麦で組成される場合、ベントナイト５〜８５体積％、黄土１０〜８５体積％、及び残余押し麦で組成されることがより好ましい。
【００４３】
図２は、上記本発明の沈降体を具備した釣り支度を投げた後、沈降体が水面の下へ沈降する状態を示す図である。図２に示すように、中空の円柱形態の沈降体の内部空間の中に針に突き刺された餌が保護されながら沈降することになり、徐々に沈降する間、沈降体が海水により分解され始めて、一定の水深では餌のみ露出されることが分かる。
【００４４】
一方、図３は、沈降体が一定の水深層に到達する前・後の状態を示す図であって、海水により沈降体が完全に分解された以後、水中浮きと穴浮きの状態が上昇しながら釣り人が目標とした水深層に餌が露出されるようになることが分かる。
【００４５】
図４は、沈降弾の分解時間が短い場合、目的とする水深層に餌が到達する前に沈降弾が分解される状況を示す図である。このような場合、水面上の穴浮きが海水内に巻き込まれない。
【００４６】
次に、本発明の釣り餌保護用沈降体の製造工程を説明する。
【００４７】
図５は、本発明の釣り餌保護用沈降体を製造する工程を示す概略工程図である。図５に示すように、本発明では、まず、ベントナイト粉末、黄土、砂、または押し麦などを適正な配合比で混合する。この際、水を適切に添加して混合する。次に、本発明では上記のように配合された配合組成物を固有な形状を持つ成型枠内に装入し、次に、これを加圧し乾燥することにより、希望する形状を持つ沈降体成型体を製造することができる。
【００４８】
一方、本発明は、その時に製造された沈降体の形状に限定されるものでない。例えば、中空の円筒形また四角柱の形態などでありうる。
【００４９】
図６ａ乃至図６ｄは、このような釣り餌保護用成型体で製造された沈降体の一例を示す概略構成図である。図６ａ及び図６ｂは、開口形状を持つ沈降体を示す一例であって、この場合、自体の重さは餌を持つ釣り針より重くて、常に水面直下に沈降するので、餌が釣り針から抜ける恐れがない。図６ｂの場合、沈降弾の上部に針を挿入させた後、餌を針につけた後に使用することができ、また余裕空間に押し麦や生クリルなどの餌及び集魚剤を入れてキャスティングできる長所がある。
【００５０】
一方、図６ｃ及び図６ｄは、閉鎖型の沈降体を示す一例であって、具体的に、図６ｃは上下沈降体が相互溝を媒介にして連結結合される方式であり、図６ｄは上下沈降体がねじ結合により結合される方式を示す。
【００５１】
一方、図７はその一側部に貫通溝が形成されて釣り先糸を受容できるように構成された本発明の更に他の沈降体の形状を示す概略図である。
【００５２】
本発明において、上記のような沈降体の形状は、多様な実施形態の中の一例に過ぎないのであり、本発明の組成で構成されて釣り餌を保護することができる成型体であれば、どれでも本発明の技術的範囲に含まれることは理解できるべきである。
【００５３】
以下、好ましい実施形態を参照して本発明を詳細に説明する。
【００５４】
（実施形態）
下記の表１のように組成された釣り餌保護用球形の沈降体を用意したし、この際、その沈降体の重量は１０ｇ（偏差±１）、直径２０±１ｍｍであった。このように製造された沈降体を海水に沈積したし、この際、上記沈降体の７０％が水中で解体されるまでかかる時間を下記の表１に表した。
【００５５】
【表１】
2008113658.tif 000003
【００５６】
上記の表１に示すように、沈降体を組成した物質の配合比を調節すれば、球形の沈降体の水中での分解時間を５．２秒から９４５秒まで多様に調節できることが分かる。これは目的とする水深層の深さに従い沈降体の配合割合を調節して希望する水深層まで針に突き刺された餌を沈降させることができることを意味する。
【００５７】
通常、海岩または船上浮き釣りの水深層の範囲は５０ｍ以内であることを考慮すると、沈降体の配合割合を適切に調節すれば、５０ｍ以内の希望する水深層まで安全に餌を下ろすことができることが分かる。目的とする水深層の指定は浮き止めを用いて釣り人が目的とする水深により調節されることができる。 
【００５８】
また、沈降体の水中での分解時間に従い組成物の成分と成分比が各々変わり、最も好ましい成分と成分比は、次の通りである。
【００５９】
（ａ）沈降体の分解時間を３〜２０秒範囲にする場合
体積％で、ベントナイト２０〜４０％、砂５５〜７５％、及び押し麦５％で沈降体を製造する。
【００６０】
（ｂ）沈降体の分解時間を２０〜６０秒範囲にする場合
体積％で、ベントナイト２０〜４０％、砂２０〜４０％、黄土２０〜４０％、及び押し麦５％で沈降体を製造する。
【００６１】
（ｃ）沈降体の分解時間を６０〜１００秒範囲にする場合
体積％で、ベントナイト３０〜５０％、黄土４５〜６５％、及び押し麦５％で沈降体を製造する。
【００６２】
（ｄ）沈降体の分解時間を１００〜１０００秒の範囲にする場合
ベントナイトと砂を主成分とする場合、体積％で、ベントナイト７０〜９０％、砂５〜２５％、及び押し麦５％で沈降体を製造することができる。
【００６３】
または、黄土と砂を主成分とする場合、体積％で、黄土７０〜９０％、砂５〜２５％、押し麦５％で沈降体を製造することができる。
【００６４】
前述したように、沈降体の成型力は、ベントナイトと黄土が主要成分として作用し、分解時間調節は、砂、黄土、押し麦の量で調節する。
【図面の簡単な説明】
【００６５】
【図１】一般的な海釣り用穴浮き釣り支度の概略図であって、支度を投げた後、海の上層部の雑魚により餌が損失されて対象魚が存在する希望する水深層深さでは餌が存在しないことを図式的に示す図である。
【図２】上記本発明の沈降体を具備した釣り支度を投げた後、沈降体が水面の下へ沈降する状態を示す図である。
【図３】沈降体が一定の水深層に到達する前と後の状態を示すものであって、海水により沈降体が完全に分解された後、水中浮きと穴浮きの状態が上昇しながら釣り人が目標とする水深層に餌が露出されることを示す図である。
【図４】沈降弾の分解時間が短い場合、目的とする水深層に餌が到達する前に沈降弾が分解される状況を示す図である。
【図５】本発明の釣り餌保護用沈降体を製造する工程を示す概略工程図である。
【図６】本発明の実施形態に従う沈降体の形状を示す概略図である。
【図７】その一側部に貫通溝が形成されて、釣り道糸または先糸を受容できるように構成された、本発明の更に他の沈降体の形状を示す概略図である。
【符号の説明】
【００６６】
１    水深調節用浮き止め
２    穴浮き（または、棒浮き）
３    水中浮き（または、水中重り）
４    回転環
５    小重り
６    釣り針
【図１】
2008113658.tif 000004
【図２】
2008113658.tif 000005
【図３】
2008113658.tif 000006
【図４】
2008113658.tif 000007
【図５】
2008113658.tif 000008
【図６】
2008113658.tif 000009
【図７】
2008113658.tif 000010